(57)【要約】  【課題】  効率良く貼着できる生産性に優れた、冊子の見開き側の端面に片面糊付けテープを貼着してシールするための冊子簡易包装方法及びその装置、並びにその冊子簡易包装プログラムを提供する。  【解決手段】  片面糊付けテープ３と冊子２を第１の貼着位置Ｓ１に自動的に送って互いの側縁部を重ね合わせ、圧着手段８により互いに圧接させて糊付け結合させる。次いで、テープ／見開き部貼着・移動手段９により、冊子２が第１の貼着位置Ｓ１に搬送されて来た方向と略直交する方向に設けられている「排出位置」まで、冊子２をガイド板１５と共に移動させ、その移動時に、テープ３の一部を見開き部２ｂ側に回り込まされて、この見開き部２ｂの上に糊付け結合させる。次いで、第２の貼着位置（「排出位置」）に搬送されて来た冊子２を冊子排出口４ｂに向かって冊子搬送手段６により搬送させる。また、その搬送時に、テープ３の片側縁を、他方の表紙部（２ｃまたは２ａ）の面に向かって折り畳んで押し付け、テープ３を他方の表紙部（２ｃまたは２ａ）に糊付け結合させるようにした。【選択図】  図１
2005029235.tif 000002
【特許請求の範囲】
【請求項１】
冊子の表表紙部と見開き部と裏表紙部にわたって片面糊付けテープを連続して粘着し、このテープで前記見開き部を一時的に開放不能にシールするための冊子簡易包装方法であって、
前記テープを所定長さに切断して繰り出し、第１の貼着位置にセットするテープセットステップと、
前記冊子を前記第１の貼着位置まで搬送し、前記冊子の表裏一方の表紙部の片側縁部を前記テープの糊付け面の片側縁部に重ねてセットする動作を制御するための冊子／テープセットステップと、
前記第１の貼着位置で互いに重ねられた前記表裏一方の表紙部の片側縁部と前記テープの片側縁部との間を押圧して前記テープの片側縁部を前記表紙部の片側縁部の面に糊付け結合させる圧着ステップと、
前記冊子が前記第１の貼着位置に搬送されて来た方向と略直交する方向で、かつ前記冊子を排出させる第２の貼着位置まで前記冊子を移動させるとともに、その移動時に、前記テープの一部を直角に折り曲げ、この折り曲げた前記テープの一部を前記見開き部の面に糊付け結合させるテープ／見開き部貼着・移動ステップと、
前記テープ／見開き部貼着・移動ステップで前記第２の貼着位置に搬送されて来た前記冊子を前記排出方向に向かって搬送する第２の貼着位置／冊子搬送制御ステップと、
前記第２の貼着位置から前記排出方向に搬送されて来る前記冊子の表裏他方の表紙部の片側縁部と対応している前記テープの片側縁部を、前記他方の表紙部の片側縁部に向かって直角に折り畳んで押し付け、前記テープを前記他方の表紙部の片側縁部の面に糊付け結合させるテープ／表紙部貼着ステップ、
とを備えたことを特徴とする冊子簡易包装方法。
【請求項２】
冊子の表表紙部と見開き部と裏表紙部にわたって片面糊付けテープを連続して粘着し、このテープで前記見開き部を一時的に開放不能にシールするための冊子簡易包装装置であって、
前記テープを所定長さに切断して繰り出し、第１の貼着位置にセットするテープセット手段と、
前記冊子を搬送する冊子搬送手段と、
前記冊子搬送手段が前記冊子を前記第１の貼着位置まで搬送し、前記冊子の表裏一方の表紙部の片側縁部を前記テープの糊付け面の片側縁部に重ねてセットする動作を制御するための冊子／テープセット制御手段と、
前記第１の貼着位置で互いに重ねられた前記表裏一方の表紙部の片側縁部と前記テープの片側縁部との間を押圧して前記テープの片側縁部を該表紙部の片側縁部の面に糊付け結合させる圧着手段と、
前記冊子搬送手段が前記冊子を搬送する方向と略直交する方向で、かつ前記冊子が排出
口と対応する第２の貼着位置まで前記冊子を前記冊子搬送手段と共に移動させるとともに、その移動時に、前記テープの残りの部分を直角に折り曲げて前記見開き部の面に糊付け結合させるテープ／見開き部貼着・移動手段と、
前記テープ／見開き部貼着・移動手段で前記第２の貼着位置に搬送されて来た前記冊子を前記冊子搬送手段が前記排出方向に向かって搬送するように、前記冊子搬送手段の動作を制御する第２の貼着位置／冊子搬送制御手段と、
前記第２の貼着位置から前記排出方向に搬送されて来る前記冊子の表裏他方の表紙部の片側縁部と対応している前記テープの片側縁部を、前記他方の表紙部の片側縁に向かって直角に折り畳んで押し付け、前記テープを前記他方の表紙部の片側縁部の面に糊付け結合させるテープ／表紙部貼着手段、
とを備えたことを特徴とする冊子簡易包装装置。
【請求項３】
前記テープセット手段が前記テープを所定の位置まで繰り出されたことを検出して、前記テープの繰り出し動作を停止するさせるためのテープ検出手段を設けたことを特徴とする請求項２記載の冊子簡易包装装置。
【請求項４】
前記冊子搬送手段に対して前記冊子がセットされたことを検出するセンサと、前記冊子搬送手段により前記冊子が前記第１貼着位置に搬送されたことを検出するセンサとを設けたことを特徴とする請求項２または３記載の冊子簡易包装装置。
【請求項５】
冊子の表表紙部と見開き部と裏表紙部にわたって片面糊付けテープを連続して粘着し、このテープで前記見開き部を一時的に開放不能にシールするために、簡易包装装置が、
前記テープを所定長さに切断して繰り出し、第１の貼着位置にセットするテープセットステップと、
前記冊子を前記第１の貼着位置まで搬送し、前記冊子の表裏一方の表紙部の片側縁部を前記テープの糊付け面の片側縁部に重ねてセットする動作を制御するための冊子／テープセットステップと、
前記第１の貼着位置で互いに重ねられた前記表裏一方の表紙部の片側縁部と前記テープの片側縁部との間を押圧して前記テープの片側縁部を該表紙部の片側縁部の面に糊付け結合させる圧着ステップと、
前記冊子が前記第１の貼着位置に搬送されて来た方向と略直交する方向で、かつ前記冊子を排出させる第２の貼着位置まで前記冊子を移動させるとともに、その移動時に、前記テープの一部を直角に折り曲げて前記見開き部の面に糊付け結合させるテープ／見開き部貼着・移動ステップと、
前記テープ／見開き部貼着・移動ステップで前記第２の貼着位置に搬送されて来た前記冊子を前記排出方向に向かって搬送する第２の貼着位置／冊子搬送制御ステップと、
前記第２の貼着位置から前記排出方向に搬送されて来る前記冊子の表裏他方の表紙部の片側縁部と対応している前記テープの片側縁部を、前記他方の表紙部の片側縁部に向かって直角に折り畳んで押し付け、前記テープを前記他方の表紙部の片側縁部の面に糊付け結合させるテープ／表紙部貼着ステップ、
を決められた順に実行するように、コンピュータに前記簡易包装装置を制御する機能を持たせることを特徴とする冊子簡易包装プログラム。
【発明の詳細な説明】
【技術分野】
【０００１】
本発明は、雑誌やカタログやパンフレット等の冊子に対し、綴じ側（背表紙部）と反対側に位置する見開き側を片面糊付けテープにて一時的に開放不能なシール状態とし、例えば第三種郵便物に適合する投函形態及び宅配便としての達成可能な冊子簡易包装方法及びその装置、並びにその冊子簡易包装プログラムに関するものである。
【背景技術】
【０００２】
従来、雑誌やカタログやパンフレット等の冊子に対し、見開き側を片面糊付けテープにて一時的に開放不能なシール状態とすることで、例えば、封書や帯封に代わって第三郵便物に適合する投函形態を達成することができる。この投函形態を達成する冊子の簡易包装をする手法としては、従来より、冊子の表表紙と見開き部と裏表紙にわたって片面糊付けテープを連続して貼り付けてシール状態の包装をする方法が知られている。また、その片面糊付けテープを貼る作業の効率化を図るのに、人手によらずに、機械化された簡易包装装置も知られている（例えば、特許文献１及び特許文献２）。
【特許文献１】特開２０００−２１９２８５号公報
【特許文献２】特開２００２−９６５７５号公報
【発明の開示】
【発明が解決しようとする課題】
【０００３】
しかしながら、従来の冊子簡易包装装置では、例えば図２４の（ａ）に示すように、片面に糊が付着されている片面糊付けテープ１００を使用し、このテープ１００の糊付け面を内側にし、このテープ１００で冊子１０１の綴じ部（背表紙部）１０２と反対側に位置している見開き部１０３の端面を包み込むようにして、表表紙部１０４から裏表紙部１０５にわたってテープ１００を連続して貼り付けて包装している。この方法は、見開き部１０３に対応するテープ１００の一部１０６が外側に膨らんで見開き部１０３の端面から剥がれて、不良品が発生し易く、歩留まりが低く、生産性が悪いという問題があった。
【０００４】
本発明はこのような問題を解決するためになされたもので、その目的は効率良く貼着できる生産性に優れた、冊子の見開き側の端面に片面糊付けテープを貼着して、見開き部を一時的に開放不能にシールするための冊子簡易包装方法及びその装置、並びにその冊子簡易包装プログラムを提供するものである。
【課題を解決するための手段】
【０００５】
本発明の冊子簡易包装方法は、冊子の表表紙部と見開き部と裏表紙部にわたって片面糊付けテープを連続して粘着し、このテープで前記見開き部を一時的に開放不能にシールするための冊子簡易包装方法であって、前記テープを所定長さに切断して繰り出し、第１の貼着位置にセットするテープセットステップと、前記冊子を前記第１の貼着位置まで搬送し、前記冊子の表裏一方の表紙部の片側縁部を前記テープの糊付け面の片側縁部に重ねてセットする動作を制御するための冊子／テープセットステップと、前記第１の貼着位置で互いに重ねられた前記表裏一方の表紙部の片側縁部と前記テープの片側縁部との間を押圧して前記テープの片側縁部を前記表紙部の片側縁部の面に糊付け結合させる圧着ステップと、前記冊子が前記第１の貼着位置に搬送されて来た方向と略直交する方向で、かつ前記冊子を排出させる第２の貼着位置まで前記冊子を移動させるとともに、その移動時に、前記テープの一部を直角に折り曲げ、この折り曲げた前記テープの一部を前記見開き部の面に糊付け結合させるテープ／見開き部貼着・移動ステップと、前記テープ／見開き部貼着・移動ステップで前記第２の貼着位置に搬送されて来た前記冊子を前記排出方向に向かって搬送する第２の貼着位置／冊子搬送制御ステップと、前記第２の貼着位置から前記排出方向に搬送されて来る前記冊子の表裏他方の表紙部の片側縁部と対応している前記テープの片側縁部を、前記他方の表紙部の片側縁部に向かって直角に折り畳んで押し付け、前記テープを前記他方の表紙部の片側縁部の面に糊付け結合させるテープ／表紙部貼着ステップ、とを備えた構成を有している。
【０００６】
この構成により、片面糊付けテープは所定長さに切断されて第１の貼着位置に送られるとともに、冊子も表紙部の片側縁部が片面糊付けテープの片側縁部と重なるまで第１の貼着位置に送られてセットされる。続いて、第１の貼着位置で、互いに重ねられた表裏一方の表紙部の片側縁部とテープの片側縁部との間が互いに押圧されて、両片側縁部との間が糊付け結合される。次いで、冊子が第１の貼着位置に搬送されて来た方向と略直交する方向で、かつ冊子を排出させる第２の貼着位置まで冊子が移動される。その移動時には、片面糊付けテープの一部を見開き部側に回り込ませて見開き部の面に圧接させ、この片面糊付けテープが見開き部の面に糊付け結合される。次いで、第２の貼着位置に搬送されて来た冊子が排出方向に搬送され、その搬送時に、冊子の表裏他方の表紙部の片側縁部と対応しているテープの片側縁部を、他方の表紙部の面に向かって折り畳んで押し付け、テープを他方の表紙部の面に糊付け結合させる。これにより、片面糊付けテープが、冊子の表表紙部、見開き部、裏表紙部の各部にわたって連続して効率良く糊付けされ、冊子の見開き部をシールすることとなる。
【０００７】
また、本発明の冊子簡易包装装置は、冊子の表表紙部と見開き部と裏表紙部にわたって片面糊付けテープを連続して粘着し、このテープで前記見開き部を一時的に開放不能にシールするための冊子簡易包装装置であって、前記テープを所定長さに切断して繰り出し、第１の貼着位置にセットするテープセット手段と、前記冊子を搬送する冊子搬送手段と、前記冊子搬送手段が前記冊子を前記第１の貼着位置まで搬送し、前記冊子の表裏一方の表紙部の片側縁部を前記テープの糊付け面の片側縁部に重ねてセットする動作を制御するための冊子／テープセット制御手段と、前記第１の貼着位置で互いに重ねられた前記表裏一方の表紙部の片側縁部と前記テープの片側縁部との間を押圧して前記テープの片側縁部を該表紙部の片側縁部の面に糊付け結合させる圧着手段と、前記冊子搬送手段が前記冊子を搬送する方向と略直交する方向で、かつ前記冊子が排出口と対応する第２の貼着位置まで前記冊子を前記冊子搬送手段と共に移動させるとともに、その移動時に、前記テープの残りの部分を直角に折り曲げて前記見開き部の面に糊付け結合させるテープ／見開き部貼着・移動手段と、前記テープ／見開き部貼着・移動手段で前記第２の貼着位置に搬送されて来た前記冊子を前記冊子搬送手段が前記排出方向に向かって搬送するように、前記冊子搬送手段の動作を制御する第２の貼着位置／冊子搬送制御手段と、前記第２の貼着位置から前記排出方向に搬送されて来る前記冊子の表裏他方の表紙部の片側縁部と対応している前記テープの片側縁部を、前記他方の表紙部の片側縁に向かって直角に折り畳んで押し付け、前記テープを前記他方の表紙部の片側縁部の面に糊付け結合させるテープ／表紙部貼着手段とを備えた構成を有している。
【０００８】
この構成により、片面糊付けテープはテープセット手段により所定長さに切断されて第１の貼着位置に送られるとともに、冊子も冊子搬送手段により表紙部の片側縁部が片面糊付けテープの片側縁部と重なるまで第１の貼着位置に送られてセットされる。続いて、第１の貼着位置で、互いに重ねられた表裏一方の表紙部の片側縁部とテープの片側縁部との間が、圧着手段により互いに押圧されて、両片側縁部の間が糊付け結合される。次いで、テープ／見開き部貼着・移動手段により、冊子が第１の貼着位置に搬送されて来た方向と略直交する方向で、かつ冊子を排出させる第２の貼着位置まで冊子が移動され、その移動時には、片面糊付けテープの一部が見開き部側に回り込まされて見開き部の面に圧接され、片面糊付けテープが見開き部の面に糊付け結合される。次いで、第２の貼着位置に搬送されて来た冊子が排出方向に冊子搬送手段により搬送される。また、その搬送時に、テープ／表紙部貼着手段により、冊子の表裏他方の表紙部の片側縁部と対応しているテープの片側縁部が、他方の表紙部の面に向かって折り畳まれて押し付けられ、テープを他方の表紙部の面に糊付け結合させる。これにより、片面糊付けテープが、冊子の表表紙部、見開き部、裏表紙部の各部にわたって連続して効率良く糊付けされ、冊子の見開き部をシールすることとなる。
【０００９】
また、本発明の冊子簡易包装装置は、前記テープセット手段が前記テープを所定の位置まで繰り出されたことを検出して、前記テープの繰り出し動作を停止するさせるためのテープ検出手段を設けた構成を有している。この構成によれば、テープの繰り出し動作を自動で行わせることが可能となり、品質の安定した冊子簡易包装装置の提供が可能となる。
【００１０】
また、本発明の冊子簡易包装装置は、前記冊子搬送手段に対して前記冊子がセットされたことを検出するセンサと、前記冊子搬送手段により前記冊子が前記第１貼着位置に搬送されたことを検出するセンサとを設けた構成を有している。この構成によれば、冊子のセットが検出されると冊子搬送手段を起動させて冊子の第１の貼着位置への搬送を行わせ、第１の貼着位置に到達すると冊子搬送手段による搬送を停止させることができるというように、冊子の搬送及び停止の自動化が図られた冊子簡易包装装置の提供が可能となる。
【００１１】
また、本発明の冊子簡易包装プログラムは、冊子の表表紙部と見開き部と裏表紙部にわたって片面糊付けテープを連続して粘着し、このテープで前記見開き部を一時的に開放不能にシールするために、簡易包装装置が、前記テープを所定長さに切断して繰り出し、第１の貼着位置にセットするテープセットステップと、前記冊子を前記第１の貼着位置まで搬送し、前記冊子の表裏一方の表紙部の片側縁部を前記テープの糊付け面の片側縁部に重ねてセットする動作を制御するための冊子／テープセットステップと、前記第１の貼着位置で互いに重ねられた前記表裏一方の表紙部の片側縁部と前記テープの片側縁部との間を押圧して前記テープの片側縁部を該表紙部の片側縁部の面に糊付け結合させる圧着ステップと、前記冊子が前記第１の貼着位置に搬送されて来た方向と略直交する方向で、かつ前記冊子を排出させる第２の貼着位置まで前記冊子を移動させるとともに、その移動時に、前記テープの一部を直角に折り曲げて前記見開き部の面に糊付け結合させるテープ／見開き部貼着・移動ステップと、前記テープ／見開き部貼着・移動ステップで前記第２の貼着位置に搬送されて来た前記冊子を前記排出方向に向かって搬送する第２の貼着位置／冊子搬送制御ステップと、前記第２の貼着位置から前記排出方向に搬送されて来る前記冊子の表裏他方の表紙部の片側縁部と対応している前記テープの片側縁部を、前記他方の表紙部の片側縁部に向かって直角に折り畳んで押し付け、前記テープを前記他方の表紙部の片側縁部の面に糊付け結合させるテープ／表紙部貼着ステップ、を決められた順に実行するように、コンピュータに前記簡易包装装置を制御する機能を持たせる構成を有している。
【００１２】
この構成により、冊子簡易包装プログラムの手順に従ってコンピュータを動作させることにより、冊子簡易包装装置の動作には、テープセットステップと、冊子／テープセットステップと、圧着ステップと、テープ／見開き部・移動ステップと、第２の貼着位置／冊子搬送制御ステップと、テープ／表紙部貼着ステップとが得られ、冊子の表表紙部、見開き部、裏表紙部の各部にわたって片面糊付けテープを連続して効率良く粘着することができる冊子簡易包装装置が得られる。
【発明の効果】
【００１３】
以上説明したように、本発明によれば、上記実施の形態より明らかなように、作業者の熟練を要求することなく、冊子の表表紙部、見開き部、裏表紙部の各部にわたり、片面糊付けテープを冊子の見開き部を包み込むようにして、連続して綺麗に、かつ効率良く粘着して、一時的に開放不能にシールすることができる、冊子簡易包装装置を提供することができる。また、特に作業者の熟練を要求しない専用機なので、一般的な作業者であっても片面糊付けテープを連続して効率良く粘着することができ、歩留まりも高められ、生産性の向上が図れることとなる。
【発明を実施するための最良の形態】
【００１４】
（第１の実施の形態）
以下、本発明の実施の形態について、図面を用いて説明する。図１は本発明の第１の実施の形態に係る冊子簡易包装装置の概略構成を示すブロック図、図３乃至図６は冊子簡易包装装置の機構部の構成を示す図である。なお、図３乃至図６において、図３はその冊子簡易包装装置の外観斜視図、図４はその装置内部の要部構造配置図、図５はその装置内部の要部構造側面図、図６は図５に示す要部構造の概略上面図である。
【００１５】
図１及び、図３乃至図６において、本実施の形態の冊子簡易包装装置１は、雑誌やカタログ、パンフレット等の冊子２の、綴じ側（背表紙部）２ｄと反対側に位置する見開き側の端面（以下、これを「見開き部２ｂ」という）を、片面糊付けテープ３にて一時的に開放不能なシール状態とし、例えば第三種郵便物に適合する投函形態及び宅配便としての達成可能な冊子２にする場合として説明する。より詳しくは、冊子２は、図２４（ａ）に示すように、表表紙部２ａ、見開き部２ｂ、裏表紙部２ｃを有し、片面糊付けテープ３はその冊子２の見開き部２ｂを包み込むようにして、その両側部分を表表紙部２ａ，裏表紙部２ｃ側にそれぞれ折り曲げ、その見開き部２ｂと表表紙部２ａ、裏表紙部２ｃの各面に連続して片面糊付けテープ３を糊付けする場合である。
【００１６】
その図１及び、図３乃至乃至図６に示される冊子簡易包装装置１は、箱形をしたハウジング４を中心として構成されている。ハウジング４の内部には、このハウジング４を基台として、図１に示すように、テープセット手段５、冊子搬送手段６、冊子／テープセット制御手段７、圧着手段８、テープ／見開き部貼着・移動手段９、第２の貼着位置／冊子搬送制御手段１０、テープ／表紙部貼着手段１１等の他に、これら各手段を機能させるためのモータ及びセンサ（１８，１９，６３，６５）と、各手段（５〜１１）を予め決められた手順に従って実行させるためのプログラム５１を内蔵したコンピュータ（ＣＰＵ）５０が配設されている。
【００１７】
ハウジング４の前面中央には冊子２を挿入するための冊子挿入口４ａが設けられている。また、ハウジング４の前面上側には、テンキーを含む外部入力操作を行うためのキー１２ａや、各種の情報を表示するための表示器１２ｂ等を備える入力パネル部１２が設けられ、後面中央には、片面糊付けテープ３の貼着を終えた冊子２が排出される冊子排出口４ｂが設けられている。
【００１８】
片面糊付けテープ３は、片面（内側面、すなわち繰り出し時には上面となる）に糊が付着されており、これがロール状に巻回された状態で供給され、テープセット手段５のテープ供給軸５ａにセットされる。そのロールの幅（長辺となるテープ幅ＷL１）は、図２４の（ａ）に示すように、冊子２の貼着長さ（一辺の長さＬ１）に等しく、またテープ供給軸５ａからは片面糊付けテープ３の短辺となる幅ＷSづつ順に繰り出される。
【００１９】
テープセット手段５は、テープ供給軸５ａの他に、このテープ供給軸５ａにロールの状態でセットされた片面糊付けテープ３を第１の貼着位置Ｓ１に繰り出す第１のテープ給送機構５ｂと、片面糊付けテープ３を所定長さに切断するカッター機構５ｄと、第２のテープ給送機構５ｃとで構成されている。第１のテープ給送機構５ｂは、テープ供給軸５ａより繰り出される片面糊付けテープ３を、カッター機構５ｄを通って第２のテープ給送機構５ｃまで搬送するもので、駆動ローラ１３ａと複数の従動ローラ１３ｂを有している。第２のテープ給送機構５ｃは、片面糊付けテープ３を第１の貼着位置Ｓ１まで搬送するもので、駆動ローラ１４ａと複数の従動ローラ１４ｂを有している。また、テープセット手段５には、第１のテープ給送機構５ｂの駆動ローラ１３ａを回転駆動させるためのモータを備える駆動手段５２と、カッター機構５ｄを駆動させるための電磁石を備える電磁石手段５３と、第２のテープ給送機構５ｃの駆動ローラ１４ａを回転駆動させるためのモータを備える駆動手段５４と、片面糊付けテープ３が第２のテープ給送機構５ｃの所定の位置まで送られたことを検出し、コンピュータ５０に信号を送るためのセンサ６５が設けられている。なお、駆動手段５４のモータには、ステッピングモータが使用される。また、片面糊付けテープ３の糊が付いている面と対向する側にある従動ローラ１４ｂの表面は、片面糊付けテープ３の糊との接触を少なくして剥がれ易くするのに、複数の溝を設け、線接触するように工夫してある。
【００２０】
冊子搬送手段６は、ガイド板１５と、冊子搬送機構１６を備えている。ガイド板１５は、水平状態を保持して上下方向に移動可能で、上面には冊子２が載せられる水平なテーブル板部１５ａが設けられている。なお、ガイド板１５の初期位置は、図２中に一点鎖線で示している「セット位置」であり、この「セット位置」から同図中に実線で示す「排出位置（第２貼着位置）」に移動され、「排出位置」から再び「セット位置」に戻るように上下動される。なお、ガイド板１５の上下動は、モータを備えるエレベータ機構５５の駆動で行われる。また、エレベータ機構５５によるガイド板１５の「セット位置」への移動完了はセンサ５６で検出され（図５参照）、「排出位置」への移動はセンサ５７で検出される（図４参照）。このセンサ５６，５７の信号は、それぞれコンピュータ５０に送られる。冊子搬送機構１６は、ガイド板１５上に設けられており、テーブル板部１５ａを挟んだ上下の位置に、駆動ローラ１７ａ及び従動ローラ１７ｂを有している。なお、冊子搬送手段１６には、駆動ローラ１７ａを回転駆動させるためのモータを備えた駆動手段５８が設けられている。そして、この冊子搬送手段６は、ガイド板１５が「セット位置」に配置されている状態において、テーブル板部１５ａの上に、見開き部２ｂを前側に向けて冊子２を寝かし、この冊子２をテーブル板部１５ａ上を滑らすようにして、回転している駆動ローラ１７ａと従動ローラ１７ｂとの間に挿入させると、駆動ローラ１７ａと従動ローラ１７ｂとの回転により、前方（第１の貼着位置Ｓ１方向）に向かって自動で送ることができる。また、ガイド板１５上には、テーブル板部１５ａ上にセットされた冊子２が駆動ローラ１７ａと従動ローラ１７ｂとの間に近づくと、その冊子２が検出されるセンサ１８と、駆動ローラ１７ａと従動ローラ１７ｂとで前方へ送られた冊子２が、第１の貼着位置Ｓ１の領域内における所定の位置まで前面（見開き部２ｂ）が到達すると、その冊子２が検出されるセンサ１９とが設けられている。なお、冊子２がセンサ１８で検出されると、センサ１８の信号がコンピュータ５０に送られ、コンピュータ５０の指令で駆動手段５８のモータが起動されて駆動ローラ１７ａが回転され、冊子２がセンサ１９で検出されると、センサ５０の信号がコンピュータ５０に送られ、コンピュータ５０の指令でモータが停止されて駆動ローラ１７ｂの回転も停止するように設定されている。
【００２１】
冊子／テープセット制御手段７は、入力パネル部１２を介して入力されたデータとセンサ１９からの信号に基づいて、第２のテープ給送機構５ｃにおけるステッピングモータの駆動と冊子搬送機構１６における駆動手段５８のモータの駆動とを制御し、第１の貼着位置Ｓ１において、片面糊付けテープ３の片側縁部と冊子２の片側縁部とが所定の状態で重ね合わされるように制御するもので、通常はコンピュータ５０内に設けられる。
【００２２】
圧着手段８は、ガイド板１５上に、テーブル板部１５ａを挟んでそれぞれ上下に分かれて配設されたパッド部材２０とプッシャー２１とで構成されている。パッド部材２０は、テーブル板部１５ａの下側で、上下方向に移動自在に取り付けられ、プッシャー２１は、テーブル板部１５ａの上側で、上下方向に移動自在に取り付けられている。また、冊子／テープセット制御手段７には、パッド部材２０とプッシャー２１を上下方向に移動させるためのカム機構と、このカム機構を駆動させるためのモータを備える駆動手段５９を設けている。そして、この冊子／テープセット制御手段７において、パッド部材２０は、駆動手段５９の駆動によって片面糊付けテープ３が第１の貼着位置Ｓ１に繰り出されるとき、その片面糊付けテープ３の繰り出しを妨害することのない「退避位置」（図４中に一点鎖線で示す位置）に移動され、片面糊付けテープ３が第１の貼着位置Ｓ１に繰り出された後は、片面糊付けテープ３の下面と軽く触れる「セット位置」まで移動されるように構成されている。また、プッシャー２１も、駆動手段５９の駆動により、テーブル板部１５ａと大きく離れた「退避位置」と、冊子２と片面糊付けテープ３を挟んでパッド部材２０と押圧可能な「セット位置」とに、移動可能になっている。なお、プッシャー２１の「セット位置」への適正移動量、すなわち適正な下降量は、冊子２の厚みによっても変わってくるので、これは冊子２の種類などに応じて、入力パネル部１２を介して駆動手段５９を制御することによりセットされる。
【００２３】
テープ／見開き部貼着・移動手段９は、テーブル板部１５ａにセットされた冊子２の見開き部２ｂと対向する位置で、かつ「セット位置」と「排出位置（第２の貼着位置）」との間で移動されるテーブル板部１５ａの移動軌領域内に先端湾曲部を突出させている当接板９ａを有している。当接板９ａは、略左右の幅全体にわたって形成されているとともに、上下端はそれぞれテーブル板部１５に対して逃がされ、全体として縦方向断面が湾曲した形状に作られている。
【００２４】
第２の貼着位置／冊子搬送制御手段１０は、センサ５７，６０からの信号に基づいて、駆動手段５８のモータの駆動を制御し、第２の貼着位置Ｓ２において、駆動手段５８のモータを駆動させて、冊子搬送手段６が冊子２を冊子排出口４ｂ方向に送るように制御し、また搬送が終わると停止させるもので、通常はコンピュータ５０内に設けられる。
【００２５】
テープ／表紙部貼着手段１１は、第２の貼着位置Ｓ２において、冊子搬送手段６により冊子２が冊子排出口４ｂに向かって排出されて行く通路を挟んで配設されたゲート部材６０を有している。このゲート部材６０は、上側ゲート板６１と下側ゲート板６２とを備え、上側ゲート板６１のガイド板１５と対向する側の端部の内面６１ａは斜め上方に向かって反り返り、下側ゲート板６２のガイド板１５と対向する側の端部の内面６２ａは斜め下方に向かって反り返っている。また、内面６１ａと内面６２ａとの最小幅Ｗ２（図５参照）は、冊子２の厚みＴ１と片面糊付けテープ３の厚みＴ２の２倍、すなわち（Ｔ１＋２×Ｔ２）に設定されており、この最小幅Ｗ２は冊子２の厚みＴ１及び片面糊付けテープ３の厚みＴ２に応じて調整可能になっている。また、テープ／表紙部貼着手段１１には、冊子２を検出し、コンピュータ５０に信号を入力するためのセンサ６３が設けられている。
【００２６】
このように構成された冊子簡易包装装置１は、コンピュータ５０に内蔵されたプログラム５１の制御に従い、コンピュータが予め決められた手順で制御するもので、図２はその手順の一例を示す流れ図、図７乃至図１１はその動作図である。そこで、図２の流れ図及び図７乃至図１１の動作図を用いて、図１及び、図３乃至図６に示した冊子簡易包装装置１の動作をステップＳＴ１〜ＳＴ１５の順に説明する。
【００２７】
まず、冊子２がテーブル板部１５ａにセットされていない状態において、入力パネル部１２を使用して、コンピュータ５０の初期設定を行う（ステップＳＴ１）。この初期設定では、第１の貼着位置Ｓ１への片面糊付けテープ３の繰り出し量、圧着手段８におけるプッシャー２１の下降量、テープ／表紙部貼着手段１１における上側ゲート板６１と下側ゲート板６２との間の離間量（最小幅W2）が設定される。なお、片面糊付けテープ３の繰り出し量の設定に伴い、カッター機構５ｄのカッター刃の位置も移動され、カッター機構５ｄが片面糊付けテープ３を切断する位置も設定される。また、初期状態では、パッド部材２０とプッシャー２１は、上記「退避位置」に逃がされている。
【００２８】
設定が完了すると、コンピュータ５０からの指令により、第１のテープ給送機構５ｂ及び第２のテープ給送機構５ｃが起動される。この起動で、駆動ローラ１３ａ及び駆動ローラ１４ａが回転駆動され、センサ６５で片面糊付けテープ３の先端が検出されるまで、片面糊付けテープ３が所定量だけ第１の貼着位置Ｓ１に向かって繰り出される。片面糊付けテープ３の先端がセンサ６５で検出されると、コンピュータ５０からの指令により、駆動ローラ１３ａ及び駆動ローラ１４ａが停止する（ステップＳＴ２）。図７は、このときの状態を示している。続いてコンピュータ５０からの指令により、カッター機構５ｄが動作し、片面糊付けテープ３が所定の長さに切断される（ステップＳＴ３）。片面糊付けテープ３の切断が終わると、コンピュータ５０からの指令により、駆動手段５４のステッピングモータが駆動され、第２のテープ給送機構５ｃだけが起動され、切断された片面糊付けテープ３が駆動ローラ１４ａの回転駆動で第１の貼付位置Ｓ１に向かって搬送され、駆動手段５４のステッピングモータが一定のパルスを出力したところで停止する（ステップＳＴ４）。すなわち、切断された片面糊付けテープ３は図８に示す位置まで搬送される。この状態では、片面糊付けテープ３の片側は駆動ローラ１４ａと従動ローラ１４ｂとで保持され、先端側だけが第１の貼付位置Ｓ１に突き出している。これで片面糊付けテープ３のセットが完了し、冊子２がセットされて来るのを待つ。なおセンサ６５は、駆動手段５４のステッピングモータのステップ数の計数開始時点（或いは片面糊付けテープ３の先端位置）を決定するために検出動作を行なうものであるが、このセンサ６５は必ずしも設ける必要はない。駆動手段５４のステッピングモータが出力するパルス信号をカウントし、そのカウントされたパルス数を計数することにより搬送距離を算出し、片面糊付けテープ３を停止させて搬送を制御してもよい。
【００２９】
次に、ガイド板１５のテーブル板部１５ａ上に、見開き部２ｂを前側（第１の貼付位置Ｓ１）に向けて冊子２を載置し、これを第１の貼付位置Ｓ１側に移動させる。冊子２が、図８中の実線で示す位置まで移動されて来ると、これがセンサ１８で検出される。すると、コンピュータ５０からの指令により、駆動手段５８が起動され、駆動ローラ１７ａの回転が開始される。さらに、冊子２を駆動ローラ１７ａと従動ローラ１７ｂとの間に挿入させると、駆動ローラ１７ａと従動ローラ１７ｂとにより、冊子２がさらに第１の貼付位置Ｓ１側に搬送される。冊子２の先端がセンサ１９で検出されると、コンピュータ５０からの指令により駆動手段５８が停止される。この駆動手段５８の停止により、駆動ローラ１７ａと従動ローラ１７ｂによる搬送も停止し、冊子２はその位置（図８中に一点鎖線で示す位置）で停止される（ステップＳＴ６）。
【００３０】
続いて、コンピュータ５０からの指令により、駆動手段５９が駆動される。駆動手段５９の駆動はカム機構を動作させ、間にパッド部材２０とプッシャー２１を挟んで冊子２と片面糊付けテープ３を互いに押圧させた状態にする（ステップＳＴ７）。これにより、片側の片面糊付けテープ３と裏表紙部２ｃ（または表表紙部２ａ）とが接着される。図９は、この状態を示している。
【００３１】
次いで、コンピュータ５０からの指令により、エレベータ機構５５のモータが起動され、ガイド板１５が「セット位置」から「排出位置」に向かって移動を開始する（ステップＳＴ８）。このとき、片側が駆動ローラ１４ａと従動ローラ１４ｂの間に挟まれている片面糊付けテープ３は、駆動ローラ１４ａと従動ローラ１４ｂとの間からテンションが掛けられた状態で引き抜かれる。同時に、ガイド板１５と共に「排出位置」に移動されるとき、片面糊付けテープ３の外側にテープ／見開き部貼着・移動手段９の当接板９ａが当接され、片面糊付けテープ３を直角に折り曲げ、その直角に折り曲げた片面糊付けテープ３を見開き部２ｂに対して押し付け、接着させる（ステップＳＴ９）。このとき、直角に折り曲げられて見開き部２ｂに押し付けられる片面糊付けテープ３は、駆動ローラ１４ａと従動ローラ１４ｂでテンションが掛けられた状態にあるので、ピーンと張られた状態で見開き部２ｂに貼り付けられる。また、ガイド板１５が「排出位置（第２の貼着位置Ｓ２）」に到達する前に、片面糊付けテープ３の片側は駆動ローラ１４ａと従動ローラ１４ｂとの間から抜け出して自由な状態に置かれ、やがて図１０に示す「排出位置」に到達する（ステップＳＴ１０）。そして、圧着手段８のカム機構の動作により、プッシャー２１だけが「退避位置」に戻される（ステップＳＴ１１）。
【００３２】
続いて、コンピュータ５０からの指令により、冊子搬送機構１６の駆動手段５８が起動される。この起動で駆動ローラ１７ａが回転駆動され、駆動ローラ１７ａと従動ローラ１７ｂとで挟まれている冊子２が上側ゲート板６１と下側ゲート板６２との間、すなわち排出方向に送り出されて行く（ステップＳＴ１２）。冊子２が上側ゲート板６１と下側ゲート板６２との間に入り込むとき、上側ゲート板６１と下側ゲート板６２との間の距離は、冊子２の厚みＴ１と片面糊付けテープ３の厚みＴ2・の２倍、すなわち（Ｔ１＋２×Ｔ２）に設定されているので、片面糊付けテープ３の上側に突出している部分が、図１１に一点鎖線で示すように、上側ゲート板６１の内面で表表紙部２ａ（または裏表紙部２ｃ）の面上に折り畳まれ、これが冊子２の表表紙部２ａ（または裏表紙部２ｃ）に接着される。そして、さらに図１１に実線で示すように、最小幅W2の部分で抑え付けられて、貼り付け仕上げが行われる。そして、最小幅W2の部分を通った後は、冊子排出口４ｂより取り出される。図３の２点鎖線は、その冊子排出口４ｂより冊子２が冊子排出口４ｂから排出されて行く状態を示している。そして、冊子２が排出されたのがセンサ５７により検出され、この信号がコンピュータ５０に入力されると、コンピュータ５０の指令により冊子搬送機構１６の駆動手段５８が停止し、駆動ローラ１７ａの回転も停止する（ステップＳＴ１３）。
【００３３】
次いで、コンピュータ５０の指令により、エレベータ機構５５のモータが起動され、ガイド板１５が「排出位置」から「セット位置」に向かって移動を開始する（ステップＳＴ１４）。ガイド板１５が「セット位置」に到達したことがセンサ５６で検出されると、これがコンピュータ５０に入力され、コンピュータ５０の指令でエレベータ機構５５のモータが停止される（ステップ１５）。これにより、１サイクルが終了し、ステップＳＴ１５からはステップＳＴ２へ戻り、以後、同じ動作を繰り返すことになる。
【００３４】
すなわち、この第１の実施の形態における背貼りテープ装置１によれば、片面糊付けテープ３はテープセット手段５により所定長さに切断されて第１の貼着位置Ｓ１に自動的に送られるとともに、冊子２もその片側縁部が、冊子搬送手段６により片面糊付けテープ３の片側縁部と重なるまで第１の貼着位置Ｓ１に送られてセットされる。続いて、第１の貼着位置Ｓ１で、対向された表裏一方の表紙部（２ａまたは２ｃ）の片側縁部と片面糊付けテープ３の片側縁部との間が、圧着手段８により互いに圧接されて両片側縁部との間が糊付け結合される。次いで、テープ／見開き部貼着・移動手段９により、冊子２が第１の貼着位置Ｓ１に搬送されて来た方向と略直交する方向で、かつ冊子２が冊子排出口と対応する第２の貼着位置である「排出位置」まで、冊子２がガイド板１５と共に移動され、その移動時には、片面糊付けテープ３の一部が見開き部２ｂ側に回り込まされて見開き部２ｂの面上に押圧され、片面糊付けテープ３が見開き部２ｂに糊付け結合される。次いで、第２の貼着位置（「排出位置」）に搬送されて来た冊子２が冊子排出口４ｂに向かって冊子搬送手段６により搬送される。また、その搬送時に、テープ／表紙部貼着手段１１により、冊子２の表裏他方の表紙部（２ａまたは２ｃ）の片側縁と対応している片面糊付けテープ３の片側縁が、他方の表紙部（２ｃまたは２ａ）の片側縁に向かって折り畳まれて押し付けられ、片面糊付けテープ３を他方の表紙部（２ｃまたは２ａ）に糊付け結合させる。これにより、図２４の（ａ）に示しているように、冊子２の表表紙部２ａ、見開き部２ｂ、裏表紙部２ｃの各部にわたり、冊子２の見開き部２ｂを包み込むようにして、片面糊付けテープ３を連続して効率良く、しかも図２４の（ｂ）に示す従来方法のように、外側に膨らんだ部分１０５ができて不良が発生することもなく、正確に粘着することができる。さらに、一方の表紙部（２ａまたは２ｃ）の面上に片面糊付けテープ３を貼り付けて、次に見開き部２ｂに片面糊付けテープ３を貼り付けるとき、片面糊付けテープ３を駆動ローラ１４ａと従動ローラ１４ｂとで挟んでテンションを与えて、ピーンと張った状態で貼り付けるようにしているので、シワなどが作られることもなく、綺麗に貼り付けることができる。
【００３５】
なお、テーブル板部１５ａにセットされる冊子２は、表表紙部２ａあるいは裏表紙部２ｃの何れを上にしてセットしてもよいものである。
【００３６】
（第２の実施の形態）
次に、本発明の第２の実施の形態における冊子簡易包装装置について図１２乃至図１５を参照して説明する。図１２は本発明の第２の実施の形態に係る冊子簡易包装装置の概略を示すブロック構成図、図１４及び図１５は冊子簡易包装装置の機構部の構成を示す図で、図１４はその簡易包装装置の外観斜視図、図１５はその装置内部の要部構造配置図である。また、本発明の第２の実施の形態における冊子簡易包装装置は、図１乃至図１１に示した第１の実施の形態における片面糊付けテープ３が、冊子２の縦長方向の一辺の長さＬ１（図２４参照）に等しいロール幅ＷＬ１（図２４参照）のものを使用していたのに対して、第２の実施の形態では片面糊付けテープ３として、冊子２の表表紙部２ａ、見開き部２ｂ、裏表紙部２ｃを包み込む方向の長さＬ２（図２４参照）に等しいロール幅ＷＳ（図２４参照）のものを使用している点、及びその片面糊付けテープ３を供給する方向が略９０度変位している点が異なっているものであり、他の構成は図１乃至図６に示した第１の実施の形態と同じなので、同じ部材には同じ符号を付して重複した説明は省略する。
【００３７】
図１２乃至図１５における第２の実施の形態における冊子簡易包装装置１は、箱形をしたハウジング４の一側部に、ロール状の片面糊付けテープ３をセットするテープ装着部７１を有し、片面糊付けテープ３はこのテープ装着部７１のスピンドル７２に着脱実在に取り付けられる。また、ハウジング４のテープ装着部７１と隣接した位置にはテープ取り入れ口７３を設けており、ロールから引き出された片面糊付けテープ３の先端を、テープ取り入れ口７３を通ってハウジング４の内部に導き、このハウジング４の内部のテープセット手段７４にセットすることができるようになっている。なお、片面糊付けテープ３をセットするテープ装着部７１は、この第２の実施の形態の構造では、ハウジング４の外側に設けているが、ハウジング４の内側に設けても良いものである。
【００３８】
テープセット手段７４は、図１６乃至図１８に図１４及び図１５の要部拡大図として示しているように、片面糊付けテープ３をハウジング４内に取り込む第１のテープ給送機構５bと、片面糊付けテープ３を第１の貼着位置Ｓ１に繰り出す第２のテープ給送機構５cと、片面糊付けテープ３を所定長さに切断するカッター機構５ｄと、ベルト機構５ｅとで構成されている。第１のテープ給送機構５ｂは、テープ取り入れ口７３を通ってハウジング４内に導かれて来る片面糊付けテープ３を、第２のテープ供給機構５ｃの駆動ローラ１４Ａ及び従動ローラ１４Ｂに沿う方向へ送るもので、駆動ローラ１３ａと従動ローラ１３ｂを備えている。
【００３９】
カッター機構５ｄは、第１のテープ給送機構５ｂとベルト機構５ｅとの間に位置して設けられている。第２のテープ給送機構５ｃは、片面糊付けテープ３を第１の貼着位置Ｓ１まで搬送するもので、前段側の駆動ローラ１４Ａ及び従動ローラ１４Ｂと後段側の駆動ローラ１４ａ，従動ローラ１４ｂを有している。また、駆動ローラ１４Ａと従動ローラ１４Ｂは、互いに接離可能で、図１８中に一点鎖線で描かれている状態である、互いに離れた状態にある「退避位置」と、同図中に実線で描かれている状態である、片面糊付けテープ３を挟んで互いに当接した状態になる「当接位置」とに移動できる構成になっている。
【００４０】
ベルト機構５ｅは、第１のテープ給送機構５ｂによるテープ排出部分に対応し、かつ第２のテープ給送機構５ｃのテープ上流側に、この第２のテープ給送機構５ｃと並列して設けられており、前後一対の駆動ローラ７５ａ，７５ｂと、この駆動ローラ７５ａ，７５ｂ間に掛け渡されたエンドレスベルト７６を有している。エンドレスベルト７６は、駆動ローラ７５ａ，７５ｂが回転されると、この駆動ローラ７５ａ，７５ｂの回転方向に送り駆動され、そのとき上側面７６ａに片面糊付けテープ３が乗っていると、この片面糊付けテープ３をそのベルト回転に乗せて、ハウジング４の奥側へ向かう方向に予定されている「プリセット位置」まで水平搬送する。なお、エンドレスベルト７６の上側面７６ａの高さ位置は、第２のテープ供給機構５ｃの前段側の駆動ローラ１４Ａ及び従動ローラ１４Ｂが互いに当接している高さ位置と略一致している。また、ベルト機構５ｅと第２のテープ給送機構５ｃにおける前段側の駆動ローラ１４Ａ及び従動ローラ１４Ｂとは、図１８に片面糊付けテープ３と共にその配置されている位置関係を詳細に示しているように、第１のテープ給送機構５ｂにより送られて来る片面糊付けテープ３の一部が、退避位置に移動している駆動ローラ１４Ａと従動ローラ１４Ｂとの間に進入された状態で、片面糊付けテープ３がエンドレスベルト７６の上側面７６ａに乗せられる位置関係にして、互いに配置されている。また、テープセット手段５には、図１２に示しているように、第１のテープ給送機構５ｂの駆動ローラ１３ａを回転駆動させるためのモータを備える駆動手段５２と、カッター機構５ｄを駆動させるための電磁石を備える電磁石手段５３と、第２のテープ給送機構５ｃの駆動ローラ１４Ａ，１４ａを回転駆動させるためのモータを備える駆動手段５４と、片面糊付けテープ３が第２のテープ給送機構５ｃの所定の位置まで送られたことを検出し、コンピュータ５０に信号を送るためのセンサ６５と、ベルト機構５ｅの駆動ローラ７５ａを回転駆動させるステッピングモータを有する駆動手段７７と、第２のテープ給送機構５ｃにおける前段側の駆動ローラ１４Ａ及び従動ローラ１４Ｂを、通常配置されている当接位置から退避位置へ強制的に移動させる電磁石手段７８と、ベルト機構５ｅにより送られた片面糊付けテープ３の先頭位置を検出するセンサ７９を備えている。
【００４１】
このように構成された冊子簡易包装装置１は、コンピュータ５０に内蔵されたプログラム５１の制御に従い、コンピュータが予め決められた手順で制御するもので、図１３はその手順の一例を示す流れ図、図１９乃至図２３はその動作図である。そこで、図１３の流れ図及び図１９乃至図２３の動作図を適宜用いて、図１２及び、図１４乃至図１８に示した冊子簡易包装装置１の動作をステップＳＴ２１〜ＳＴ３５の順に説明する。
【００４２】
まず、冊子２がテーブル板部１５ａにセットされていない状態において、入力パネル部１２を使用して、コンピュータ５０の初期設定を行う（ステップＳＴ２１）。この初期設定では、第１の貼着位置Ｓ１への片面糊付けテープ３の繰り出し量、圧着手段８におけるプッシャー２１の下降量、テープ／表紙部貼着手段１１における上側ゲート板６１と下側ゲート板６２との間の離間量（最小幅Ｗ２）が設定される。なお、初期状態では、パッド部材２０とプッシャー２１は上記「退避位置」に逃がされている。
【００４３】
設定が完了した時点では、ベルト機構５ｅのエンドレスベルト７６上には片面糊付けテープ３は載置されていない。また、第２のテープ給送機構５ｃにおける前段側の駆動ローラ１４Ａ及び従動ローラ１４Ｂは、電磁石手段７８により退避位置へ強制的に移動させられ、両ローラ１４Ａ、１４Ｂ間には所定寸法の空間（隙間）が設けられている。この状態で、最初にテープセット動作が開始されると、コンピュータ５０からの指令により電磁石手段７８が駆動されて、第２のテープ給送機構５ｃにおける駆動ローラ１４Ａ及び従動ローラ１４Ｂが、通常配置されている当接位置から退避位置へ強制的に移動されるとともに、第１のテープ給送機構５ｂが起動され、この第１のテープ給送機構５ｂの駆動により、片面糊付けテープ３がベルト機構５ｅのエンドレスベルト７６上に向かって送り出され、その上に乗せられる。このとき、片面糊付けテープ３はベルト機構５ｅの基端部（上流側部分）から先端部（下流側部分）へ向けて長手方向に送り出され、且つ、幅方向については、エンドレスベルト７６の第２のテープ給送機構５ｃ側の幅端部よりも外へはみ出した状態でエンドレスベルト７６上に乗せられていく。すると、上述したように、駆動ローラ１４Ａ及び従動ローラ１４Ｂは、電磁石手段７８により退避位置へ強制的に移動させられているから、片面糊付けテープ３のエンドレスベルト７６の上記幅端部よりも外へはみ出した部分はローラ１４Ａ、１４Ｂ間の空間内に送り込まれて行くことになる。
【００４４】
そして、第１のテープ給送機構５ｂにより送り出されてエンドレスベルト７６上に乗せられた片面糊付けテープ３は、その後、第１のテープ給送機構５ｂによる送りとエンドレスベルト７６の周回送り動作により、「プリセット位置」に向かってさらに送られる。これにより、片面糊付けテープ３はベルト機構５ｅの長手方向ほぼ全長にわたって送り出される。そして、この片面糊付けテープ３の先端がセンサ７９で検出されると、コンピュータ５０からの指令により第１のテープ給送機構５ｂによる給送が停止する（ステップＳＴ２２）。続いて、カッター機構５ｄがコンピュータ５０からの指令により動作し、片面糊付けテープ３が所定の長さに切断される（ステップＳＴ２３）。片面糊付けテープ３の切断が終わると、コンピュータ５０からの指令により、駆動手段７７のステッピングモータが駆動され、このステッピングモータが所定段歩数回転すると駆動手段７７が停止し、エンドレスベルト７６の回転も停止する。これにより、片面糊付けテープ３は、第２のテープ給送機構５ｃに対して所定量、すなわち「プリセット位置」まで送られたことになる。    
【００４５】
続いて、電磁石手段７８が停止し、第２のテープ給送機構５ｃにおける前段側の駆動ローラ１４Ａ及び従動ローラ１４Ｂが退避位置から当接位置に復帰して片面糊付けテープ３の一部を挟んだ状態となり、次の送り動作に対して待機する。図１５乃至図１８は、この状態を示している。また、駆動ローラ１４Ａ及び従動ローラ１４Ｂが退避位置から当接位置に、片面糊付けテープ３の一部を挟んだ状態で復帰されると、駆動ローラ１４Ａ及び駆動ローラ１４ａは回転しているので、この回転で、エンドレスベルト７６で「プリセット位置」に配置されている、切断された片面糊付けテープ３が駆動ローラ１４Ａ，１４ａの回転駆動で第１の貼付位置Ｓ１に向かって搬送され（図１９は、この状態を示している。）、センサ６５で片面糊付けテープ３の送り方向先端（実際には、長辺の一端）が検出されると一旦停止する（ステップＳＴ２４、ＳＴ２５）。すなわち、切断された片面糊付けテープ３は、エンドレスベルト７６の上面とほぼ同じ平面内において、先ず片面糊付けテープ３の長手方向に送り出され、そして切断され、切断された後は片面糊付けテープ３の長手方向とは直角の方向へ、駆動手段５４のステッピングモータにより送り出され、このステッピングモータが所定のパルス数を出力したところで停止することにより、図２０に示す位置まで搬送される。この状態では、片面糊付けテープ３の片側は駆動ローラ１４ａと従動ローラ１４ｂとで保持され、先端側だけが第１の貼付位置Ｓ１に突き出している。図２０は、この状態を示している。これで片面糊付けテープ３のセットが完了し、冊子２がセットされて来るのを待つ。なお本実施の形態において、センサ６５は、駆動手段５４のステッピングモータが出力するパルス数の計数開始時点（或いは片面糊付けテープ３の先端位置）を決定するために検出動作を行なうものであるが、このセンサ６５は必ずしも設ける必要はなく、駆動手段５４のステッピングモータが作動開始したときからそのパルス数を計数することにより搬送距離を算出し、片面糊付けテープ３の搬送を制御してもよい。
【００４６】
以後の動作は第１の実施の形態の場合と同じであって、次にガイド板１５のテーブル板部１５ａ上に、見開き部２ｂを前側（第１の貼付位置Ｓ１）に向けて冊子２を載置し、これを第１の貼付位置Ｓ１側に移動させる。冊子２が、図２０中の実線で示す位置まで移動されて来ると、これがセンサで検出される。すると、コンピュータ５０からの指令により、駆動手段５８が起動され、駆動ローラ１７ａの回転が開始される。さらに、冊子２を駆動ローラ１７ａと従動ローラ１７ｂとの間に挿入させると、駆動ローラ１７ａと従動ローラ１７ｂとにより、冊子２がさらに第１の貼付位置Ｓ１側に搬送される。冊子２の先端がセンサ１９で検出されると、コンピュータ５０からの指令により駆動手段５８が停止される。この駆動手段５８の停止により、駆動ローラ１７ａと従動ローラ１７ｂによる搬送も停止し、冊子２はその位置（図２０中に一点鎖線で示す位置）で停止される（ステップＳＴ２６、ＳＴ２７）。
【００４７】
続いて、コンピュータ５０からの指令により、駆動手段５９が駆動される。駆動手段５９の駆動はカム機構を動作させ、間にパッド部材２０とプッシャー２１を挟んで冊子２と片面糊付けテープ３を互いに押圧させた状態にする（ステップＳＴ２８）。これにより、片側の片面糊付けテープ３と裏表紙部２ｃ（または表表紙部２ａ）とが接着される。図２１は、この状態を示している。
【００４８】
次いで、コンピュータ５０からの指令により、エレベータ機構５５のモータが起動され、ガイド板１５が「セット位置」から「排出位置」に向かって移動を開始する（ステップＳＴ２９）。このとき、片側が駆動ローラ１４ａと従動ローラ１４ｂとの間に挟まれている片面糊付けテープ３は、駆動ローラ１４ａと従動ローラ１４ｂとの間からテンションが掛けられた状態で引き抜かれる。同時に、ガイド板１５と共に「排出位置」に移動されるとき、片面糊付けテープ３の外側にテープ／見開き部貼着・移動手段９の当接板９ａが当接され、片面糊付けテープ３を直角に折り曲げ、その直角に折り曲げた片面糊付けテープ３を見開き部２ｂに対して押し付け、接着させる（ステップＳＴ３０）。このとき、直角に折り曲げられて見開き部２ｂに押し付けられる片面糊付けテープ３は、駆動ローラ１４ａと従動ローラ１４ｂでテンションが掛けられた状態にあるので、ピーンと張られた状態で見開き部２ｂに貼り付けられる。また、ガイド板１５が「排出位置（第２の貼着位置Ｓ２）」に到達する前に、片面糊付けテープ３の片側は駆動ローラ１４ａと従動ローラ１４ｂとの間から抜け出して自由な状態に置かれ、やがて図２２に示す「排出位置」に到達する（ステップＳＴ３１）。そして、圧着手段８のカム機構の動作により、プッシャー２１だけが「退避位置」に戻される（ステップＳＴ３２）。
【００４９】
続いて、コンピュータ５０からの指令により、冊子搬送機構１６の駆動手段５８が起動される。この起動で駆動ローラ１７ａが回転駆動され、駆動ローラ１７ａと従動ローラ１７ｂとで挟まれている冊子２が上側ゲート板６１と下側ゲート板６２との間、すなわち排出方向に送り出されて行く（ステップＳＴ３３）。冊子２が上側ゲート板６１と下側ゲート板６２との間に入り込むとき、上側ゲート板６１と下側ゲート板６２との間の距離は、冊子２の厚みＴ1・と片面糊付けテープ３の厚みＴ2・の２倍、すなわち（Ｔ１＋２×Ｔ２）に設定されているので、片面糊付けテープ３の上側に突出している部分が、図２３に一点鎖線で示すように、上側ゲート板６１の内面で表表紙部２ａ（または裏表紙部２ｃ）の面上に折り畳まれ、これが冊子２の表表紙部２ａ（または裏表紙部２ｃ）に接着される。そして、さらに図２３に実線で示すように、最小幅W2の部分で抑え付けられて、貼り付け仕上げが行われる。そして、最小幅W2の部分を通った後は、冊子排出口４ｂより取り出される。図２３の２点鎖線は、その冊子排出口４ｂより冊子２が冊子排出口４ｂから排出されて行く状態を示している。そして、冊子２が排出されたのがセンサ５７により検出され、この信号がコンピュータ５０に入力されると、コンピュータ５０の指令により冊子搬送機構１６の駆動手段５８が停止し、駆動ローラ１７ａの回転も停止する（ステップＳＴ３）。
【００５０】
次いで、コンピュータ５０の指令により、エレベータ機構５５のモータが起動され、ガイド板１５が「排出位置」から「セット位置」に向かって移動を開始し（ステップＳＴ３５）、ガイド板１５が「セット位置」に到達したのがセンサ５６で検出され、これがコンピュータ５０に入力され、コンピュータ５０の指令でエレベータ機構５５のモータが停止される（ステップ３６）。これにより、１サイクルが終了し、ステップＳＴ３６からはステップＳＴ２２へ戻り、以後、同じ動作を繰り返すことになる。
なお、この第２の実施の形態においては、片面糊付けテープ３がエンドレスベルト７６から送り出されてテープセット動作が終了したら、直ちに次のテープセット動作を開始させ、１サイクル前に送り出された片面糊付けテープ３が冊子に圧着されている間に次のサイクルで使用する片面糊付けテープ３をエンドレスベルト７６上に送り出してスタンバイさせることができる。したがって、包装作業の作業時間が短縮され、作業性が向上する。
【００５１】
また、この第２の実施の形態における冊子簡易包装装置でも、第１の実施の形態における冊子簡易包装装置の場合と同様に、片面糊付けテープ３はテープセット手段７４により所定長さに切断されて第１の貼着位置Ｓ１に自動的に送られるとともに、冊子２もその片側縁部が、冊子搬送手段６により片面糊付けテープ３の片側縁部と重なるまで第１の貼着位置Ｓ１に送られてセットされる。続いて、第１の貼着位置Ｓ１で、対向された表裏一方の表紙部（２ａまたは２ｃ）の片側縁部と片面糊付けテープ３の片側縁部との間が、圧着手段８により互いに圧接されて両片側縁部との間が糊付け結合される。次いで、テープ／見開き部貼着・移動手段９により、冊子２が第１の貼着位置Ｓ１に搬送されて来た方向と略直交する方向で、かつ冊子２が冊子排出口と対応する第２の貼着位置である「排出位置」まで、冊子２がガイド板１５と共に移動され、その移動時には、片面糊付けテープ３の一部が見開き部２ｂ側に回り込まされて見開き部２ｂの面上に押圧され、片面糊付けテープ３が見開き部２ｂに糊付け結合される。次いで、第２の貼着位置（「排出位置」）に搬送されて来た冊子２が冊子排出口４ｂに向かって冊子搬送手段６により搬送される。また、その搬送時に、テープ／表紙部貼着手段１１により、冊子２の表裏他方の表紙部（２ａまたは２ｃ）の片側縁と対応している片面糊付けテープ３の片側縁が、他方の表紙部（２ｃまたは２ａ）の片側縁に向かって折り畳まれて押し付けられ、片面糊付けテープ３を他方の表紙部（２ｃまたは２ａ）に糊付け結合させる。これにより、図２４の（ａ）に示しているように、冊子２の表表紙部２ａ、見開き部２ｂ、裏表紙部２ｃの各部にわたり、冊子２の背をくるむようにして、片面糊付けテープ３を連続して効率良く、しかも図２４の（ｂ）に示す従来方法のように、外側に膨らんだ部分１０５ができて不良が発生するようなこともなく、正確に粘着することができる。さらに、一方の表紙部（２ａまたは２ｃ）の面上に片面糊付けテープ３を貼り付けて、次に見開き部２ｂに片面糊付けテープ３を貼り付けるとき、片面糊付けテープ３を駆動ローラ１４ａと従動ローラ１４ｂとで挟んでテンションを与えて、ピーンと張った状態で貼り付けるようにしているので、シワなどが作られることもなく、綺麗に貼り付けることができる。
【図面の簡単な説明】
【００５２】
【図１】本発明の第１の実施の形態に係る冊子簡易包装装置の概略を示すブロック構成図
【図２】第１の実施の形態に係る冊子簡易包装装置の動作処理図
【図３】第１の実施の形態に係る冊子簡易包装装置の外観斜視図
【図４】第１の実施の形態に係る冊子簡易包装装置内部の要部構造配置図
【図５】第１の実施の形態に係る冊子簡易包装装置内部の要部拡大構造側面図
【図６】第１の実施の形態に係る冊子簡易包装装置内部の概略上面図
【図７】第１の実施の形態に係る冊子簡易包装装置の動作図
【図８】第１の実施の形態に係る冊子簡易包装装置の動作図
【図９】第１の実施の形態に係る冊子簡易包装装置の動作図
【図１０】第１の実施の形態に係る冊子簡易包装装置の動作図
【図１１】第１の実施の形態に係る冊子簡易包装装置の動作図
【図１２】本発明の第２の実施の形態に係る冊子簡易包装装置の概略を示すブロック構成図
【図１３】第２の実施の形態に係る冊子簡易包装装置の動作処理図
【図１４】第２の実施の形態に係る冊子簡易包装装置の外観斜視図
【図１５】第２の実施の形態に係る冊子簡易包装装置内部の要部構造配置図
【図１６】第２の実施の形態に係る冊子簡易包装装置の要部拡大構造側面図
【図１７】第２の実施の形態に係る冊子簡易包装装置の要部拡大斜視図
【図１８】第２の実施の形態に係る冊子簡易包装装置の要部拡大構造側面図
【図１９】第２の実施の形態に係る冊子簡易包装装置の動作図
【図２０】第２の実施の形態に係る冊子簡易包装装置の動作図
【図２１】第２の実施の形態に係る冊子簡易包装装置の動作図
【図２２】第２の実施の形態に係る冊子簡易包装装置の動作図
【図２３】第２の実施の形態に係る冊子簡易包装装置の動作図
【図２４】本発明と従来装置との比較説明図
【符号の説明】
【００５３】
１  背貼りテープ貼付装置
２  冊子
２ａ  表表紙部
２ｂ  見開き部
２ｃ  裏表紙部
３  片面糊付けテープ
４  ハウジング
４ａ  冊子挿入口
４ｂ  冊子排出口
５，７４  テープセット手段
５ａ  テープ供給軸
５ｂ  第１のテープ給送機構
５ｃ  第２のテープ給送機構
５ｄ  カッター機構
５ｅ  ベルト機構
６  冊子搬送手段
７  冊子／テープセット制御手段
８  圧着手段
９  テープ／見開き部貼付・移動手段
１０  第２の貼着位置／冊子搬送制御手段
１１  テープ／表紙部貼着手段
１２  入力パネル部
１６  冊子搬送機構
１８  センサ
１９  センサ
６０  ゲート部材（テープ／表紙部貼着手段）
【図１】
2005029235.tif 000003
【図２】
2005029235.tif 000004
【図３】
2005029235.tif 000005
【図４】
2005029235.tif 000006
【図５】
2005029235.tif 000007
【図６】
2005029235.tif 000008
【図７】
2005029235.tif 000009
【図８】
2005029235.tif 000010
【図９】
2005029235.tif 000011
【図１０】
2005029235.tif 000012
【図１１】
2005029235.tif 000013
【図１２】
2005029235.tif 000014
【図１３】
2005029235.tif 000015
【図１４】
2005029235.tif 000016
【図１５】
2005029235.tif 000017
【図１６】
2005029235.tif 000018
【図１７】
2005029235.tif 000019
【図１８】
2005029235.tif 000020
【図１９】
2005029235.tif 000021
【図２０】
2005029235.tif 000022
【図２１】
2005029235.tif 000023
【図２２】
2005029235.tif 000024
【図２３】
2005029235.tif 000025
【図２４】
2005029235.tif 000026